(57)【要約】【課題】  本発明の課題は、印刷対象となる文書（画像データ）に対応付けて印刷指示書を管理すると共に、クライアントＰＣの利用者がオプションの設定をすることなく、印刷指示書を指定するのみで印刷指示書の再利用を可能とする印刷処理を実現する画像形成装置を提供することを目的とする。【解決手段】  本発明の課題は、要求元からの処理の実行を指示する処理指示を受信する処理指示受信手段と、上記処理指示によって指定される指示書識別情報で特定される処理指示書に従って上記処理を実行する処理実行手段とを有する画像形成装置によって達成される。【選択図】  図３
2004303224.tif 000002
【特許請求の範囲】
【請求項１】
要求元からの処理の実行を指示する処理指示を受信する処理指示受信手段と、
上記処理指示によって指定される指示書識別情報で特定される処理指示書に従って上記処理を実行する処理実行手段とを有することを特徴とする画像形成装置。
【請求項２】
上記要求元からの上記処理指示書に設定される処理項目の取得要求に応じて、該処理項目を該要求元に送信する処理項目送信手段を有することを特徴とする請求項１記載の画像形成装置。
【請求項３】
上記処理指示書の変更すべき処理項目が設定された変更要求を受信する変更要求受信手段と、
上記変更すべき処理項目に従って上記処理指示書を変更する指示書変更手段とを有し、
上記処理指示受信手段が上記処理指示を受信すると、上記処理実行手段は、変更された上記処理指示書に従って上記処理を実行することを特徴とする請求項２記載の画像形成装置。
【請求項４】
上記要求元からの上記処理指示書の取得要求に応じて、該処理指示書を該要求元に送信する指示書送信手段を有することを特徴とする請求項１記載の画像形成装置。
【請求項５】
上記要求元から送信される上記処理指示書を受信する処理指示書受信手段を有し、
上記処理指示受信手段が上記処理指示を受信すると、上記処理実行手段は、上記処理指示書受信手段によって受信した上記処理指示書に従って、上記処理を実行することを特徴とする請求項４記載の画像形成装置。
【請求項６】
上記処理実行手段によって実行された上記処理指示書の内容を所定記憶領域に保存する指示書保存手段を有することを特徴とする請求項２乃至５のいずれか一項記載の画像形成装置。
【請求項７】
上記所定記憶領域は、ネットワークを介してアクセス可能な外部に設置され、
上記指示書保存手段は、上記ネットワークを介して上記処理指示書の内容を上記所定記憶領域に保存することを特徴とする請求項６記載の画像形成装置。
【請求項８】
上記処理実行手段から実行可能な処理項目に関する情報を取得し、該情報に基づいて上記処理指示書を実行可能な処理指示書に変更する変更手段を有し、
上記処理実行手段は、上記変更手段によって変更された上記実行可能な処理指示書に従って上記処理を実行することを特徴とする請求項１乃至７のいずれか一項記載の画像形成装置。
【請求項９】
タグを用いた構造記述言語によって、上記要求元との通信を制御する通信制御手段を有することを特徴とする請求項１乃至８のいずれか一項記載の画像形成装置。
【請求項１０】
上記要求元からの上記処理の対象となる対象データの使用許可を要求する使用許可要求に対して、該対象データの使用許可を示すチケットを発行し、該チケットを識別するチケット識別情報を該要求元へ送信するチケット送信手段と、
上記処理指示受信手段によって受信した上記処理指示によって指定されるチケット識別情報に基づいて上記対象データを特定し、該対象データと上記処理指示書とを上記処理実行手段に提供する提供手段とを有することを特徴とした請求項１乃至９のいずれか一項記載の画像形成装置。
【請求項１１】
上記要求元からの上記処理の対象となる対象データの使用を許可する使用許可要求に対して、該使用許可要求によって指定されるパスワードに基づいて使用許可を判断する使用許可判断手段と、
上記使用許可判断手段によって使用許可された場合、上記処理指示受信手段によって受信した上記処理指示が指定する上記対象データと上記処理指示書とを上記処理実行手段に提供する提供手段とを有することを特徴とした請求項１乃至９のいずれか一項記載の画像形成装置。
【請求項１２】
要求元からの要求に応じて処理を実行する画像形成システムにて実行される画像形成方法において、
上記要求元からの処理の実行を指示する処理指示を受信する処理指示受信手順と、
上記処理指示に応じて、該処理指示によって指定される実行すべき処理項目を含む処理指示書に従って上記処理を実行する処理実行手順とを有することを特徴とする画像形成方法。
【請求項１３】
処理を実行する装置から処理項目が設定された処理指示書を特定する指示書識別情報を取得する識別情報取得手段と、
上記装置に対して、上記識別情報取得手段によって取得した上記指示書識別情報を指定して、上記処理の実行を指示する処理指示を送信する処理指示送信手段とを有する情報処理装置。
【請求項１４】
上記装置から上記処理指示書に設定される処理項目を取得する処理項目取得手段と、
上記処理指示書の変更すべき処理項目を設定した変更要求を送信する変更要求送信手段とを有することを特徴とする請求項１３記載の情報処理装置。
【請求項１５】
上記装置から上記処理指示書を取得する指示書取得手段と、
上記処理指示書に設定される処理項目を変更した該処理指示書を作成する指示書作成手段と、
上記指示書作成手段によって作成した上記処理指示書を上記装置へ送信する指示書送信手段とを有することを特徴とする請求項１３記載の情報処理装置。
【請求項１６】
処理を実行する装置へ処理指示を行う情報処理装置として機能させるコンピュータ実行可能なプログラムにおいて、コンピュータに、
上記装置から処理項目が設定された処理指示書を特定する指示書識別情報を取得する識別情報取得手段と、
上記装置に対して、上記識別情報取得手段によって取得した上記指示書識別情報を指定して、上記処理の実行を指示する処理指示を送信する処理指示送信手段ととして機能させるようにしたプログラム。
【発明の詳細な説明】
【技術分野】
【０００１】
本発明は、本発明は印刷対象となる文書（画像データ）に対応付けて印刷指示書を管理すると共に、クライアントＰＣの利用者がオプションの設定をすることなく、印刷指示書を指定するのみで印刷指示書の再利用を可能とする印刷処理を実現する画像形成装置を提供するものである。
【背景技術】
【０００２】
画像形成装置にネットワークを介して接続されるクライアントＰＣ（Personal Computer）から画像形成装置のプリンタ機能を利用する場合、印刷したい文書を指定し、所望の印刷の処理方法（オプション）を設定したのち、印刷処理を実行することによって所望の印刷を行っていた。
【０００３】
この場合、文書が保存されている記憶領域からその文書が取り出されて、オプションの設定とともに、毎回ネットワークを転送されるため、近年、画像形成装置に保存されている文書を印刷する場合には、文書（画像データ）を使用するためのチケットをクライアントＰＣが取得して、そのチケットと共に、印刷指示をすることによって、利用者が設定したオプションを指定するのみで、文書の転送をすることなく印刷を実行させることができるようになった（例えば、特許文献１）。
【特許文献１】特開２００１−１１７７３７号公報
【発明の開示】
【発明が解決しようとする課題】
【０００４】
しかしながら、上述したような従来のチケットを利用したシステムにおいても、画像形成装置が、印刷対象となる文書に対応付けて利用者が設定したオプションを管理する機能がないため、利用者は、印刷する度にオプションの設定をする必要があった。また、前回のオプションの設定（印刷指示書）を利用して印刷させたい場合においても、再度、利用者の記憶に任せて、設定するようにしなければならなかった。
【０００５】
そこで、本発明の課題は、クライアントＰＣの利用者がオプションの設定をすることなく、印刷指示書を指定するのみで印刷指示書の再利用を可能とする印刷処理を実現する画像形成装置を提供することである。
【課題を解決するための手段】
【０００６】
上記課題を解決するため、本発明は、請求項１に記載されるように、要求元からの処理の実行を指示する処理指示を受信する処理指示受信手段と、上記処理指示によって指定される指示書識別情報で特定される処理指示書に従って上記処理を実行する処理実行手段とを有するように構成される。
【０００７】
このような画像形成装置では、利用者は、オプションの設定をすることなく、処理（印刷処理）を実行するための処理指示書（印刷指示書）を指定するのみで処理（印刷処理）を行わせることができる。処理の対象となる対象データ（文書）が処理指示書と関連付けられる構成とすることによって、利用者は、単に、所望する対象データ（文書）を指示するのみで処理を行わせることができる。
【０００８】
また、上記課題を解決するための手段として、本発明は、請求項１３に記載されるように、処理を実行する装置から処理項目が設定された処理指示書を特定する指示書識別情報を取得する識別情報取得手段と、該装置に対して、上記識別情報取得手段によって取得した上記指示書識別情報を指定して、該処理の実行を指示する処理指示を送信する処理指示送信手段とを有するように構成される。
【０００９】
このような情報処理装置では、利用者は、オプションの設定をすることなく、処理（印刷処理）を実行するための処理指示書（印刷指示書）を指定するのみで、その処理を実行する装置に対して処理（印刷処理）を行わせることができる。
【００１０】
更に、本発明は、上記情報処理装置での処理をコンピュータに実行させるためのプログラム及び上記プログラムを記録した記録媒体とすることもできる。
【発明の効果】
【００１１】
以上、説明してきたように、本願発明に係る画像形成装置は、印刷対象となる文書（画像データ）に対応付けて印刷指示書を管理すると共に、クライアントＰＣの利用者はオプションの設定をすることなく文書の使用を許可するチケットの送信のみで、画像形成装置において印刷指示書を作成し、印刷処理を行うことができる。また、クライアントＰＣからの要求に応じて、印刷指示書のプロパティを提供し、クライアントＰＣによって変更されたプロパティに基づいて印刷指示書を作成し、印刷処理を行うことができる。更に、その変更されたプロパティに基づくファイル情報を保存することができる。
【発明を実施するための最良の形態】
【００１２】
以下、本発明の実施の形態を図面に基づいて説明する。
【００１３】
本発明の一実施例に係る多種の画像形成機能を融合する画像形成装置（以下、融合機と言う）は、例えば、図１に示すような機能構成を成す。図１は、本発明の一実施例に係る多種の画像形成機能を融合する融合機の機能構成を示すブロック図である。
【００１４】
図１において、融合機１２００は、プロッタ１２０１と、スキャナ１２０２と、ＦＣＵ（Fax Control Unit）１３２０と、その他ハードウェアリソース１２０３などを有するとともに、プラットフォーム１２２０とアプリケーション１２３０とから構成されるソフトウェア群１２１０と、融合機起動部１２４０とを備えている。
【００１５】
融合機起動部１２４０は、融合機１２００の電源投入時に先ず始めに実行され、プラットフォーム１２２０やアプリケーション１２３０を起動する。
【００１６】
プラットフォーム１２２０は、コントロールサービス１２５０と、システムリソースマネージャー（ＳＲＭ（System Resource Manager）１２２３）と、ＯＳ（Operating System）１２２１とを有する。
【００１７】
このコントロールサービス１２５０は、複数のサービスモジュールにより形成され、具体的には、ＳＣＳ（System Control Service）１２２２と、ＥＣＳ（(Engine Control Service)１２２４と、ＭＣＳ（Memory Control Service）１２２５と、ＯＣＳ（Operation panel Control Service）１２２６と、ＦＣＳ（FAX Control Service）１２２７と、ＮＣＳ（Network Control Service）１２２８と、ＩＭＨ（Imaging Memory Handler）１２２９とがある。なお、このプラットフォーム１２２０は、あらかじめ定義された関数により前記アプリケーションからの処理要求を受信可能とするアプリケーションプログラムインターフェース（ＡＰＩ）１２０５を有する。
【００１８】
ＯＳ１２２１は、ＵＮＩＸ（登録商標）などのオペレーティング・システムであり、プラットフォーム１２２０並びにアプリケーション１２３０の各ソフトウェアをそれぞれプロセスとして並列実行する。
【００１９】
ＳＲＭ１２２３は、ＳＣＳ１２２２とともにシステムの制御およびリソースの管理をおこなう。
【００２０】
ＳＣＳ１２２２は、アプリケーション管理，操作部制御，システム画面表示，ＬＥＤ表示，ハードウェア資源管理，割り込みアプリケーション制御などの処理を行う。
【００２１】
ＥＣＳ１２２４は、ＦＣＵ１３２０、プロッタ１２０１、スキャナ１２０２、その他ハードウェアリソース１２０３などのエンジン部を制御する。
【００２２】
ＭＣＳ１２２５は、メモリ制御をおこなう。
【００２３】
ＯＣＳ１２２６は、オペレータと本体制御間の情報伝達手段となる操作パネルを制御する。
【００２４】
ＦＣＳ１２２７は、ファクシミリ送受信をおこなう。
【００２５】
ＮＣＳ１２２８は、ネットワークＩ／Ｏを必要とするアプリケーションに対して共通に利用できるサービスを提供する。
【００２６】
本実施例において、ＮＣＳ１２２８は、複数のプロトコルのうちｈｔｔｐｄ（Hypertext Transfer Protocol Daemon）２によって、インターネットを介して接続されるネットワーク機器とのデータ通信をＨＴＴＰ（Hypertext Transfer Protocol）で制御し、ＨＴＴＰリクエストヘッダで指定される処理に必要な複数のＷｅｂサービスを関数コールによって起動し、その複数のＷｅｂサービスによる処理結果をＨＴＴＰレスポンスで該ネットワーク機器へ通知する。Ｗｅｂサービスは、例えば、ＸＭＬ（eXtensible Markup Language）によって記述されたメッセージに従って処理を行う。
【００２７】
ＩＭＨ１２２９は、イメージデータを仮想メモリ領域（ユーザー仮想空間）から物理メモリへマップする。
【００２８】
アプリケーション１２３０は、ページ記述言語（ＰＤＬ）、ＰＣＬおよびポストスクリプト（ＰＳ）を有するプリンタ用のアプリケーションであるプリンタアプリ１２１１と、コピー用アプリケーションであるコピーアプリ１２１２と、ファクシミリ用アプリケーションであるファックスアプリ１２１３と、スキャナ用アプリケーションであるスキャナアプリ１２１４と、ＷｅｂサービスアプリケーションであるＷｅｂサービス処理アプリ１２１５とを有する。
【００２９】
各アプリケーション１２１１〜１２１５は、プラットフォーム１２２０上の各プロセスを利用して動作実行される。
【００３０】
Ｗｅｂサービス処理アプリ１２１５は、ＳＯＡＰ（Simple Object Access Protocol）従ってメッセージ交換を行うＳＯＡＰ処理部７０と、ＡＰＩ（Application Program Interface）１２０５を介してコントロールサービス１２５０を利用して所定処理を行い、その処理結果をＷＳ−ＡＰＩ（Web Service Application Program Interface）を介してＷｅｂサービスとして提供するプリントサービス実行部（ＷＳＦ）１４００とを有する。プリントサービス実行部１４００は、Ｗｅｂサービスファンクションの一つである。
【００３１】
更に、Ｗｅｂサービス処理アプリ１２１５は、ＧＥＴメソッド又はＰＯＳＴメソッドによるＨＴＴＰリクエストを処理して、ＨＴＭＬを含むＨＴＴＰレスポンスを送信するＷｅｂサーバー５００を備えることによって、上記同様に、プリントサービス実行部１４００によって、ＡＰＩ（Application Program Interface）１２０５を介してコントロールサービス１２５０を利用して所定処理を行い、その処理結果をＷＳ−ＡＰＩ（Web Service Application Program Interface）を介してＷｅｂサービスとして提供することができる。
【００３２】
このように、融合機１２００は、各アプリで共通的に必要となる処理をプラットフォーム１２２０で一元的に処理する。
【００３３】
次に、融合機１２００のハードウェア構成について説明する。図２は、図１に示す融合機のハードウェア構成を示すブロック図である。図２に示すように、この融合機１２００は、オペレーションパネル１３１０と、ＦＣＵ（ファックスコントロールユニット）１３２０、プロッタ１２０１、スキャナ１２０２及びその他ハードウェア１２０３とで構成されるエンジン部１３５０と、コントローラ１３００のＡＳＩＣ１３０１とをＰＣＩ（Peripheral Component Interconnect）バス１３０９等で接続した構成となる。
【００３４】
ＦＣＵ１３２０は、受信したファックスデータを格納するための不揮発性メモリ１３２１と、ＦＣＵ１３２０内での時間を計測するためのＲＴＣ（Real Time Clock）１３２２とを有し、通常Ｇ３規格に従ってファックスデータの送受信を行う。ＦＣＵ１３２０は、オプションとして更にＧ３規格とＧ４規格とを搭載しても良い。
【００３５】
コントローラ１３００は、ＡＳＩＣ１３０１にＭＥＭ−Ｃ１３０２、ＨＤＤ（Hard Disk Drive）１３０３などを接続するとともに、このＡＳＩＣ１３０１とＣＰＵ１３０４とをＣＰＵチップセットのＮＢ１３０５を介して接続している。このように、ＮＢ１３０５を介して接続する理由は、ＣＰＵ１３０４自体のインターフェイスが公開されていないためである。
【００３６】
ＣＰＵ１３０４は、融合機１２００の全体制御をおこなうものであり、具体的には、ＯＳ１２２１上でプラットフォーム１２２０を形成するＳＣＳ１２２２、ＳＲＭ１２２３、ＥＣＳ１２２４、ＭＣＳ１２２５、ＯＣＳ１２２６、ＦＣＳ１２２７、ＮＣＳ１２２８をそれぞれプロセスとして起動して実行させるとともに、アプリケーション１２３０を形成するプリンタアプリ１２１１、コピーアプリ１２１２、ファックスアプリ１２１３、スキャナアプリ１２１４、Ｗｅｂサービス処理アプリ１２１５を起動して実行させる。
【００３７】
ＮＢ１３０５は、ＣＰＵ１３０４とＭＥＭ−Ｐ１３０６、ＳＢ１３０７、ＡＳＩＣ１３０１とを接続するためのブリッジであり、ＭＥＭ−Ｐ１３０６は、融合機の描画用メモリなどとして用いるシステムメモリであり、ＭＥＭ−Ｃ１３０２は、コピー用画像バッファ、符号バッファとして用いるローカルメモリであり、ＡＳＩＣ１３０１は、画像処理用のハードウェア要素を有する画像処理用途向けのＩＣである。
【００３８】
ＮＢ１３０５は、ＰＣＩバスを介してＳＢ１３０７と接続する他、ネットワーク通信を制御するＮＩＣ（Network Interface Card）１３１１と、ＵＳＢディスクとして扱うことでデータを取り込むことができるＵＳＢ（Universal Serial Bus）ターゲット１３１２と、ＩＥＥＥ1394専用のケーブルで接続可能なＩＥＥＥ1394１３１３と、パラレルケーブルによって接続可能なセントロニクス１３１４と、シリアルケーブルによって接続可能なシリアル１３１５と、他のＵＳＢターゲット（例えば、パーソナルコンピュータ）と接続し大容量の画像データの送受信を可能とするＵＳＢホスト１３１６とを接続する。
【００３９】
ＳＢ１３０７は、ＮＢ１３０５とＲＯＭ、ＰＣＩデバイス、周辺デバイスとを接続するためのブリッジである。ＳＢ１３０７は、コントローラ１３００での時間を計測するＲＴＣ（Real Time Clock）１３２３を有する。また、ＳＢ１３０７は、内部にＵＳＢホストを有し、例えば、ＵＳＢ接続のカメラを接続することで画像データを取り込むことが可能であり、また、他のＵＳＢターゲットからデータを受け取ることも可能である。
【００４０】
融合機１２００では、ＳＢ１３０７、ＮＩＣ１３１１、ＵＳＢターゲット１３１２、ＩＥＥＥ1394１３１３、セントロニクス１３１４、シリアル１３１５、ＵＳＢホスト１３１６、ＦＣＵ１３２０の標準のＧ３、Ｇ３オプション、Ｇ４オプションの複数のポートを介して送受信されるデータがＨＤＤ１３０３に蓄積され一元的に管理される。
【００４１】
ＨＤＤ１３０３は、画像データの蓄積、プログラムの蓄積、フォントデータの蓄積、フォームの蓄積を行うためのストレージであり、オペレーションパネル１３１０は、操作者からの入力操作の受け付け並びに操作者に向けた表示をおこなう操作部である。
【００４２】
したがって、ＡＳＩＣ１３０１には、ＭＥＭ−Ｃ１３０２を接続するためのＲＡＭインターフェイスと、ＨＤＤ１３０３を接続するためのハードディスクインターフェースが設けられ、これらの記憶部に対して画像データの入出力をおこなう場合には、入出力先がＲＡＭインターフェイスまたはハードディスクインターフェースに切り替えられる。
【００４３】
ＡＧＰ１３０８は、グラフィック処理を高速化するために提案されたグラフィックスアクセラレーターカード用のバスインターフェイスであり、システムメモリに高スループットで直接アクセスすることにより、グラフィックスアクセラレーターカードを高速にする。
【００４４】
以下に、印刷指示書を指定するのみで印刷可能とする印刷処理の概要を図３で説明する。図３は、印刷指示書を指定するのみで印刷可能な第一のネットワーク構成を示すブロック図である。図３において、融合機１２００は、ネットワーク１５を介して、クライアントＰＣ（Personal Computer）１０とリポジトリ装置２０とに接続される。融合機１２００と、コンピュータ端末としてのクライアントＰＣ１０と、サーバーコンピュータとしてのリポジトリサービス実行部１４１０を有するリポジトリ装置２０とはＨＴＴＰで通信制御される。
【００４５】
リポジトリ装置２０は、画像データ３０とその画像データに関するファイル情報３１とを蓄積し管理するリポジトリサービス実行部１４１０によって、画像データ３０を利用するためのチケットを発行し、その発行したチケットによる該画像データ３０の利用を許可することによって、該画像データの利用をＷｅｂサービスとして提供するサーバーコンピュータである。
【００４６】
また、クライアントＰＣ１０がＳＯＡＰによってＷｅｂサービスを要求する場合には、融合機１２００と、リポジトリ装置２０とは、ＳＯＡＰによって夫々のＷｅｂサービスを提供する。クライアントＰＣ１０がＷｅｂブラウザを利用してＷｅｂサービスを要求する場合には、融合機１２００と、リポジトリ装置２０とは、ＨＴＭＬ（Hypertext Transfer Markup Language）によって夫々のＷｅｂサービスを提供する。
【００４７】
クライアントＰＣ１０は、リポジトリ装置２０のリポジトリサービス実行部１４１０から所望する画像データ３０（文書）を利用するためのチケットを取得して（ステップＳ１）、そのチケットを融合機１２００のプリントサービス実行部１４００へ渡して印刷指示書３２の作成を要求する（ステップＳ２）。プリントサービス実行部１４００は、クライアントＰＣ１０から受け取ったチケットによって、リポジトリサービス実行部１４１０に対して、文書ＩＤとファイル情報３１を要求する（ステップＳ３）。
【００４８】
リポジトリ装置２０において、リポジトリサービス実行部１４１０は、ステップＳ３で受け取ったチケットがステップＳ１で発行したものであることを確認後、文書ＩＤとファイル情報３１とを融合機１２００のプリントサービス実行部１４００へ提供する（ステップＳ４）。プリントサービス実行部１４００は、リポジトリサービス実行部１４１０から取得した文書ＩＤとファイル情報３１とをコントロールサービス１２５０へ通知することによって印刷指示書３２を作成する。
【００４９】
ファイル情報３１には、蓄積した時点での印刷条件が設定されている。プリントサービス実行部１４００は、コントロールサービス１２５０を使って、このファイル情報３１を変換して印刷情報３３を作成し、文書識別子（文書ＩＤ）と印刷情報３３とが設定される印刷指示書３２を作成する。そして、プリントサービス実行部１４００は、作成した印刷指示書３２を識別する印刷指示書ＩＤをクライアントＰＣ１０に通知する。
【００５０】
クライアントＰＣ１０は、プリントサービス実行部１４００から受信した印刷指示書ＩＤによって印刷指示書３２を指定して印刷指示をプリントサービス実行部１４００へ行う（ステップＳ５）。プリントサービス実行部１４００は、印刷指示書ＩＤによって印刷指示書３２を識別し、印刷指示書３２に設定されている文書ＩＤと印刷情報とをコントロールサービス１２５０へ通知する（ステップＳ６）。
【００５１】
コントロールサービス１２５０は、リポジトリサービス実行部１４１０から通知された文書ＩＤと印刷情報３３とに基づいて、リポジトリ装置２０のリポジトリサービス実行部１４１０から画像データ３０を取得し（ステップＳ７）、また、印刷情報３３に従って、画像データ３０に基づく画像形成処理を実行する（ステップＳ８）。つまり、コントロールサービス１２５０は、エンジン部１３５０（プロッタ１２０１）を制御して所定媒体に画像形成させて、画像形成された媒体を出力させる。
【００５２】
このように、クライアントＰＣ１０の利用者は、単に、所望する文書を指示するのみで、その文書に関連付けられた印刷指示書３２によって、印刷指示書３２を再利用して印刷処理を行わせることができる。
【００５３】
次に、クライアントＰＣ１０側で印刷オプションを変更しない場合の印刷処理を図４で説明する。図４は、印刷オプションを変更しない場合の第一の印刷処理を説明するためのフローチャート図である。
【００５４】
図４において、クライアントＰＣ１０は、ネットワーク１５を介してコマンドstartSessionを送信して、融合機１２００のプリントサービス実行部１４００とのセッションを確立する（ステップＳ１１）。セッション確立後、クライアントＰＣ１０は、コマンドcreateJobInstructionを送信して、リポジトリ装置２０のリポジトリサービス実行部１４１０から取得しておいたチケットをプリントサービス実行部１４００に渡して印刷指示書の作成を要求し（ステップＳ１２）、コマンドcreateJobを送信して、印刷実行を指示する（ステップＳ１３）。
【００５５】
そして、クライアントＰＣ１０は、コマンドendSessionを送信して、融合機１２００のプリントサービス実行部１４００とのセッションを終了する（ステップＳ１４）。
【００５６】
このように、画像データ３０を再利用するためのチケットをリポジトリ装置２０のリポジトリサービス実行部１４１０から取得して、融合機１２００のプリントサービス実行部１４００に印刷指示をするのみであるため、画像データ３０及び印刷指示書３２が再利用可能となると共に、文書（画像データ）及び印刷指示書３２の自体をネットワーク１５を介して転送することがないため、融合機１２００への伝送効率が良い。
【００５７】
また、クライアントＰＣ１０がネットワーク１５に物理的に接続している必要はなく、無線ＬＡＮ（Local Area Network）で接続されるような形態であっても良く、また、文書データ自体を転送する必要がないため、携帯電話機などによってインターネットを介して融合機１２００のプリントサービス実行部１４００及びリポジトリ装置２０のリポジトリサービス実行部１４１０と接続されるような形態でも良い。
【００５８】
図３及び図４では、既に保存されている印刷指示書３２をなんら変更せずに再利用した場合について説明したが、既に保存されている印刷指示書３２を変更して印刷する場合について図５から図７で説明する。
【００５９】
図５は、印刷オプションを変更する場合の第二の印刷処理の概要を説明するための図である。図５において、クライアントＰＣ１０は、リポジトリ装置２０のリポジトリサービス実行部１４１０から所望する画像データ３０を利用するためのチケットを取得して（ステップＳ２１）、そのチケットを融合機１２００のプリントサービス実行部１４００へ渡して印刷指示書３２の作成を要求する（ステップＳ２２）。プリントサービス実行部１４００は、クライアントＰＣ１０から受け取ったチケットによって、リポジトリサービス実行部１４１０に対して、文書ＩＤとファイル情報３１を要求する（ステップＳ２３）。
【００６０】
リポジトリ装置２０において、リポジトリサービス実行部１４１０は、ステップＳ２３で受け取ったチケットがステップＳ２１で発行したものであることを確認後、文書ＩＤとファイル情報３１とを融合機１２００のプリントサービス実行部１４００へ提供する（ステップＳ２４）。ファイル情報３１には、蓄積した時点での印刷条件が設定されている。プリントサービス実行部１４００は、コントロールサービス１２５０を使って、このファイル情報３１を変換して印刷情報３３を作成し、文書ＩＤと印刷情報３３とが設定される印刷指示書３２を作成する。
【００６１】
クライアントＰＣ１０は、印刷指示書３２の内容を示すプロパティを融合機１２００のプリントサービス実行部１４００から取得する（ステップＳ２５）。クライアントＰＣ１０は、利用者が変更したプロパティの値に変更するようにプリントサービス実行部１４００に指示し（ステップＳ２６）、更に、印刷指示書３２を指定して印刷指示を融合機１２００のプリントサービス実行部１４００に対して行う（ステップＳ２７）。プリントサービス実行部１４００は、プロパティの値を変更した印刷指示書３２に基づいて、文書ＩＤと印刷情報３３とをコントロールサービス１２５０へ通知する（ステップＳ２８）。
【００６２】
コントロールサービス１２５０は、プリントサービス実行部１４００から通知された文書ＩＤに基づいて、リポジトリ装置２０のリポジトリサービス実行部１４１０から画像データ３０を取得し（ステップＳ２９）、また、印刷情報３３に従って、画像データ３０に基づく画像形成処理を実行する（ステップＳ３０）。つまり、コントロールサービス１２５０は、エンジン部１３５０（プロッタ１２０１）を制御して所定媒体に画像形成させて、画像形成された媒体を出力させる。
【００６３】
上述した第二の印刷処理のステップＳ２８において、プリントサービス実行部１４００は、プロパティの値を変更した印刷指示書３２に基づいてファイル情報３２を変更するようにしても良い。このような処理によって、ファイル情報３２は、リポジトリサービス実行部１４１０によって最新の状態で管理されることになる。
【００６４】
次に、クライアントＰＣ１０側で例えば、穴あけ有無、ステープル有無等の印刷オプションを変更した場合の印刷処理を図６で説明する。図６は、印刷オプションを変更する場合の第二の印刷処理を説明するためのフローチャート図である。
【００６５】
図６において、クライアントＰＣ１０は、ネットワーク１５を介してコマンドstartSessionを送信して、融合機１２００のプリントサービス実行部１４００とのセッションを確立する（ステップＳ３１）。セッション確立後、クライアントＰＣ１０は、コマンドcreateJobInstructionをプリントサービス実行部１４００に送信して、リポジトリ装置２０のリポジトリサービス実行部１４１０から取得しておいたチケットをプリントサービス実行部１４００に渡して印刷指示書３２の作成を要求する（ステップＳ３２）。
【００６６】
更に、クライアントＰＣ１０は、プリントサービス実行部１４００に対してコマンドgetJobInstructionを送信して、印刷指示書３２の内容を示すプロパティをリポジトリサービス実行部１４１０から取得する（ステップＳ３３）。
【００６７】
利用者の印刷オプションの変更に応じて、クライアントＰＣ１０は、プリントサービス実行部１４００に対してコマンドsetJobInstructionを送信して、印刷指示書３２のプロパティの変更を指示する（ステップＳ３４）。この場合、クライアントＰＣ１０は、変更されたプロパティ部分のみをプリントサービス実行部１４００に送信すれば良い。
【００６８】
更に、クライアントＰＣ１０は、コマンドcreateJobを送信して、印刷実行をプリントサービス実行部１４００に指示する（ステップＳ３５）。そして、クライントＰＣ１０は、コマンドendSessionを送信して、プリントサービス実行部１４００とのセッションを終了する（ステップＳ３６）。
【００６９】
図７は、印刷オプションを変更する場合の第二の印刷処理におけるコマンドフローを示す図である。図７において、クライアントＰＣ１０がリポジトリサービス実行部１４１０に対してコマンドstartSession()を送信すると（ステップＳ２０１）、リポジトリサービス実行部１４１０は、セッションＩＤによって応答する（ステップＳ２０２）。クライアントＰＣ１０とリポジトリサービス実行部１４１０との間にセッションを確立する。
【００７０】
セッションが確立すると、クライアントＰＣ１０は、文書を利用するためのチケットを取得するため、リポジトリサービス実行部１４１０に対してコマンドgetTicket(セッションＩＤ、文書ＩＤ)を送信する（ステップＳ２０３）。リポジトリサービス実行部１４１０は、セッションＩＤ及び文書ＩＤに対応するチケットＩＤを発行し、そのチケットＩＤによって応答する（ステップＳ２０４）。
【００７１】
次に、クライアントＰＣ１０は、プリントサービス実行部１４００に対してコマンドstartSession()を送信し（ステップＳ２０５）、プリントサービス実行部１４００は、クライアントＰＣ１０に対してセッションＩＤで応答する（ステップＳ２０６）。クライアントＰＣ１０とプリントサービス実行部１４００との間にセッションが確立する。
【００７２】
セッションが確立すると、クライントＰＣ１０は、コマンドcreateJobInstruction(セッションＩＤ、チケットＩＤ)を送信して、プリントサービス実行部１４００に対して印刷指示書３２の作成を要求する（ステップＳ２０７）。
【００７３】
クライントＰＣ１０から印刷指示書３２の作成要求を受信すると、プリントサービス実行部１４００は、リポジトリサービス実行部１４１０に対してコマンドgetDocIdByTicket(チケットＩＤ)を送信し（ステップＳ２０８）、リポジトリサービス実行部１４１０は、文書ＩＤによって応答する（ステップＳ２０９）。続けて、プリントサービス実行部１４００は、リポジトリサービス実行部１４１０に対してコマンドgetDocInfo(文書ＩＤ)を送信し（ステップＳ２１０）、リポジトリサービス実行部１４１０は、ファイル情報３１によって応答する（ステップＳ２１１）。
【００７４】
そして、プリントサービス実行部１４００は、コントロールサービス１２５０に対してコマンドgetPrintMode(文書ＩＤ、ファイル情報３１)を送信して（ステップＳ２１２）、コントロールサービス１２５０は、印刷情報３３によって応答する（ステップＳ２１３）。印刷情報３３は、印刷機固有の情報を示している。
【００７５】
プリントサービス実行部１４００は、コントロールサービス１２５０から取得した印刷情報３３に基づいて、印刷指示書３２を作成し、印刷指示書３２を識別する印刷指示書ＩＤをステップ２０７でのクライアントＰＣ１０からのコマンドcreateJobInstructionの応答としてクライアントＰＣ１０に送信する（ステップＳ２１４）。
【００７６】
プリントサービス実行部１４００は、印刷情報３３についてその設定が現在の機器で実現できない場合、これを省略すれば印刷できるものと、省略できないものとを判断する。この省略を許すか否かは、クライアントＰＣ１０の指示による。省略を許す設定の場合は、省略できるものは省略して印刷指示書３２を作成し、省略を許さない設定の場合は、印刷指示書３２は作成せずにエラーをクライアントＰＣ１０に返す。省略可能な印刷情報と省略不可能な印刷情報については、図１６で後述される。
【００７７】
クライアントＰＣ１０は、印刷指示書ＩＤを受信すると、プリントサービス実行部１４００に対してコマンドgetJobInstruction(セッションＩＤ、印刷指示書ＩＤ)を送信して、印刷指示書３２のプロパティを要求する（ステップＳ２１５）。プリントサービス実行部１４００は、印刷指示書ＩＤに対応する印刷指示書３２のプロパティによってクライアントＰＣ１０へ応答する（ステップＳ２１６）。
【００７８】
クライアントＰＣ１０は、利用者の印刷オプションの設定によって変更した印刷指示書３２のプロパティによってプリントサービス実行部１４００にて保存される印刷指示書３２のプロパティを変更するため、プリントサービス実行部１４００に対してコマンドsetJobInstruction(セッションＩＤ、印刷指示書ＩＤ、印刷指示書３２のプロパティ)を送信する（ステップＳ２１７）。印刷指示書３２が文書ＩＤを含まない場合、setJobInstructionにて文書ＩＤを指定するようにする。
【００７９】
プリントサービス実行部１４００は、受信したコマンドsetJobInstructionで指定される印刷指示書３２のプロパティに基づいて、コントロールサービス１２５０へ通知するための印刷情報３３を作成する。
【００８０】
そして、プリントサービス実行部１４００は、コントロールサービス１２５０に対してコマンドcheckPrintMode(文書ＩＤ、印刷情報３３)を送信し（ステップＳ２１８）、コントロールサービス１２５０は、コマンドcheckPrintModeに指定された印刷情報３３に従って印刷処理が行えるか否かを判断し、その判断結果「ＯＫ（処理可）」又は「ＮＯＴ（処理不可）」を応答としてプリントサービス実行部１４００へ送信する（ステップＳ２１９）。
【００８１】
プリントサービス実行部１４００は、コントロールサービス１２５０から通知された判断結果「ＯＫ（処理可）」又は「ＮＯＴ（処理不可）」をステップＳ２１７でのコマンドsetJobInstructionに対する応答として送信する（ステップＳ２２０）。
【００８２】
クライアントＰＣ１０は、コマンドsetJobInstructionに対する応答が「ＯＫ（処理可）」を示す場合に、融合機１２００にて印刷処理を行わせるために、プリントサービス実行部１４００に対してコマンドcreateJob(セッションＩＤ、印刷指示書ＩＤ)を送信する（ステップＳ２２１）。
【００８３】
プリントサービス実行部１４００は、コマンドcreateJobを受信すると、コントロールサービス１２５０に対してコマンドentryJob(文書ＩＤ、印刷情報３３)を送信して、印刷ジョブの実行を指示する（ステップＳ２２２）。
【００８４】
コントロールサービス１２５０は、コマンドentryJobで指定される文書ＩＤを用いてリポジトリサービス実行部１４００から画像データ３０を取得して、印刷情報３３に従って、プロッタ１２０１に所定の媒体に画像を形成させて出力させる。コントロールサービス１２５０は、その処理結果「ＯＫ（処理完了）」又は「ＮＯＴ（処理エラー）」を応答としてプリントサービス実行部１４００へ送信する（ステップＳ２２３）。
【００８５】
プリントサービス実行部１４００は、コントロールサービス１２５０から通知された処理結果「ＯＫ（処理完了）」又は「ＮＯＴ（処理エラー）」をステップＳ２２１でのコマンドcreateJobに対する応答として送信する（ステップＳ２２４）。
【００８６】
クライアントＰＣ１０は、プリントサービス実行部１４００に対してコマンドendSession(セッションＩＤ)を送信して、プリントサービス実行部１４００とのセッションを解放する（ステップＳ２２５）。
【００８７】
リポジトリサービス実行部１４１０から提供される画像データ３０に関するファイル情報３１、コントロールサービス１２５０から提供される印刷情報３３、及び、プリントサービス実行部１４００からクライアントＰＣ１０へ提供される印刷指示書３２のプロパティの夫々のデータ構成について図８から図１０で説明する。
【００８８】
図８は、リポジトリサービス実行部から提供されるファイル情報の構造体を示す図である。図８において、ファイル情報３３は、構造体fileinfo（以下、ファイル情報構造体と言う）によってデータが定義され、画像データ３０の文書名、画像データ３０がリポジトリサービス実行部１４１０に蓄積された蓄積日時、蓄積時のプリンタ、コピー、ファクス、スキャナ等の処理名、用紙サイズ、ステープルを指定した場合のステープル位置、パンチ（穴あけ）を指定した場合のパンチ位置、両面の指定の有無を示す両面指定、表紙の指定の有無を示す表紙指定、ソートの指定の有無を示すソート指定等の要素を有する。
【００８９】
リポジトリサービス実行部１４１０は、このような構造体fileinfoで示されるファイル情報３１を画像データ３０に対応させて管理している。
【００９０】
図９は、コントロールサービスから提供される印刷情報の構造体を示す図である。図９において、印刷情報３３は、構造体printMode（以下、印刷情報構造体と言う）によってデータが定義され、出力可能な部数、用紙サイズ、給紙トレイ、排紙トレイ、指定可能なステープル位置、指定可能なパンチ位置、両面指定の可否、表紙指定の可否、ソート指定の可否等の要素を有する。
【００９１】
コントロールサービス１２５０は、このような構造体printModeで示される印刷情報３３によって印刷機器に固有の情報を管理している。
【００９２】
図１０は、印刷指示書の記述例を示す図である。図１０（Ａ）において、プリントサービス実行部１４００は、印刷指示書３２のプロパティをＸＭＬ（eXtensible Markup Language）で生成して管理し、印刷すべき部数、用紙サイズ、給紙トレイ、排紙トレイ、ステープル位置、パンチ位置、両面指定の有無、表紙指定の有無、ソート指定の有無、プロパティの保存の有無等の要素を有する。この場合、印刷指示書３２はプロパティのみを有し、文書ＩＤを含まない。
【００９３】
図１０（Ａ）に示す記述例において、印刷すべき部数「２」、用紙サイズ「Ａ４」、給紙トレイ「ｔｒａｙ１」、排紙トレイ「ｓｈｉｆｔＴｒａｙ」、ステープル位置「上部」、パンチ位置「上部」、両面指定「有」、表紙指定「有」、ソート指定「有」、プロパティの保存の「有」が示される。
【００９４】
プリントサービス実行部１４００は、このようにＸＭＬで記述された印刷指示書３２のプロパティを画像データ３０に対応させて管理している。
【００９５】
図１０（Ｂ）において、プリントサービス実行部１４００は、図１０（Ａ）に示した印刷指示書３２をプロパティを示す記述３２ｂとし、更に、文書ＩＤを示す記述３２ａを含んでいる。文書ＩＤを示す記述３２ａは、例えば、「<document>http://machineName.folderName.fileName1</document>」のように示される。
【００９６】
上記第二の印刷処理では、クライアントＰＣ１０は、プリントサービス実行部１４００から取得した印刷指示書３２のプロパティのうち変更があったプロパティを融合機１２００へ送信し、プリントサービス実行部１４００にて作成しておいた印刷指示書３２の変更を行う。このような処理とすることによって、クライアントＰＣ１０は、印刷指示書３２のプロパティの変更部分を指定するのみで、印刷処理を実行することができる。
【００９７】
一方、融合機１２００は、複数のクライアントＰＣ１０との間で上記第二の印刷処理を実行すると、各クライアントＰＣ１０から印刷指示を受信するまで、作成しておいた複数の印刷指示書３２を保持することになる。融合機１２００での印刷指示書３２を保持するための記憶領域を有効に使用するために、各クライアントＰＣ１０にて変更したプロパティを含む印刷指示書３２を作成するようにすることが考えられる。
【００９８】
クライアントＰＣ１０にて変更したプロパティを含む印刷指示書３２を作成する場合について図１１から図１４で説明する。
【００９９】
図１１は、印刷オプションを変更する場合の第三の印刷処理の概要を説明するための図である。図１１中、図５と同一の部分には、同一符号を付し、その説明を省略する。
【０１００】
図１１において、プリントサービス実行部１４００は、印刷指示書３２を作成し、印刷指示書３２のプロパティをクライアントＰＣ１０へ送信すると、所定の記憶領域から作成した印刷指示書３２を削除する。
【０１０１】
一方、クライアントＰＣ１０は、ステップＳ２５にて取得した印刷指示書３２のプロパティの変更を行い、変更されたプロパティの値を含む全プロパティの値が設定された印刷指示書３２を作成する（ステップＳ２６−４）。そして、クライアントＰＣ１０は、作成した印刷指示書３２を送信することによって、プリントサービス実行部１４００に印刷指示を行う（ステップＳ２７−４）。プリントサービス実行部１４００は、クライアントＰＣ１０から受信した印刷指示書３２に基づいて、文書ＩＤと印刷情報３３とをコントロールサービス１２５０へ通知する（ステップＳ２８）。以下、図５の説明と同様である。
【０１０２】
次に、クライアントＰＣ１０側で例えば、穴あけ有無、ステープル有無等の印刷オプションを変更した場合の印刷処理を図１２で説明する。図１２は、印刷オプションを変更する場合の第三の印刷処理を説明するためのフローチャート図である。図１２中、図６と同一のステップには、同一符号を付し、その説明を省略する。
【０１０３】
図１２において、図６のステップＳ３４がステップＳ３４−２に置き換わる。ステップＳ３４−２では、クライアントＰＣ１０は、利用者の印刷オプションの変更に応じて、取得した印刷指示書３２のプロパティの値を変更し、変更したプロパティの値を含む全プロパティの値が設定された印刷指示書３２を作成する（ステップＳ３４−２）。そして、クライアントＰＣ１０は、コマンドcreateJobを送信して、印刷実行をプリントサービス実行部１４００に指示する（ステップＳ３５）。以下、図６の説明と同様である。
【０１０４】
図１３は、印刷オプションを変更する場合の第三の印刷処理におけるコマンドフローを示す図である。図１３中、図７と同一のステップには、同一符号を付し、その説明を省略する。
【０１０５】
図１３において、プリントサービス実行部１４００は、作成して所定記憶領域に一時的に保存した印刷指示書３２を識別する印刷指示書ＩＤをクライアントＰＣ１０からのコマンドcreateJobInstructionの応答としてクライアントＰＣ１０に送信後（ステップＳ２１４）、クライアントＰＣ１０からコマンドgetJobInstruction(セッションＩＤ、印刷指示書ＩＤ)を受信すると（ステップＳ２１５−２）、プリントサービス実行部１４００は、印刷指示書ＩＤに対応する文書ＩＤを含む印刷指示書３２のプロパティによってクライアントＰＣ１０へ応答し、プリントサービス実行部１４００が作成した印刷指示書３２を所定記憶領域から削除する（ステップＳ２１６−２）。
【０１０６】
クライアントＰＣ１０は、利用者の印刷オプションの設定によって、印刷指示書３２のプロパティを変更した印刷指示書３２を作成し、プリントサービス実行部１４００に対してコマンドcreateJobInstruction(セッションＩＤ、印刷指示書３２の全プロパティ)を送信する（ステップＳ２１７−２）。
【０１０７】
プリントサービス実行部１４００は、受信した印刷指示書３２を識別するための印刷指示書ＩＤを生成し、この印刷指示書３２から文書ＩＤを取得し、また、コントロールサービス１２５０へ通知するための印刷情報３３を作成する。
【０１０８】
そして、プリントサービス実行部１４００は、コントロールサービス１２５０に対してコマンドcheckPrintMode(文書ＩＤ、印刷情報３３)を送信し（ステップＳ２１８）、コントロールサービス１２５０は、コマンドcheckPrintModeに指定された印刷情報３３に従って印刷処理が行えるか否かを判断し、その判断結果「ＯＫ（処理可）」又は「ＮＯＴ（処理不可）」を応答としてプリントサービス実行部１４００へ送信する（ステップＳ２１９）。
【０１０９】
プリントサービス実行部１４００は、コントロールサービス１２５０から通知された判断結果が「ＯＫ（処理可）」である場合、印刷指示書ＩＤをステップＳ２１７−２でのコマンドcreateJobInstructionに対する応答として送信する（ステップＳ２２０）。コントロールサービス１２５０から通知された判断結果が「ＮＯＴ（処理不可）」である場合、「ＮＯＴ（処理不可）」を応答として送信する。
【０１１０】
クライアントＰＣ１０は、コマンドcreateJobInstructionに対する応答が印刷指示書ＩＤを示す場合に、融合機１２００にて印刷処理を行わせるために、プリントサービス実行部１４００に対してコマンドcreateJob(セッションＩＤ、印刷指示書ＩＤ)を送信する（ステップＳ２２１）。以下、図７の説明と同様である。
【０１１１】
上述した第三の印刷処理において、ステップＳ２１６−２にてプリントサービス実行部１４００からクライアントＰＣ１０へ提供される印刷指示書３２のプロパティについて図１４で説明する。
【０１１２】
図１４は、第三の印刷処理において、プリントサービス実行部から提供される印刷指示書のプロパティの記述例を示す図である。図１４において、第二の印刷処理における印刷指示書３２のプロパティとの違いは、文書ＩＤに相当する記述３２ａが付加されている点である。記述３２ａは、例えば、<dosument>http://machineName.folderName.fileName1</document>及び<dosument>http://machineName.folderName.fileName2</document>のように記述される。この場合、２つの文書が指定されていることを示す。記述３２ａには、１つ以上の文書を識別するための文書ＩＤ（例えば、文書が保存されている場所を示すＵＲＬ(Uniform Resource Locator)等）が示される。
【０１１３】
上述の第三の印刷処理では、プリントサービス実行部１４００は、印刷指示書３２のための記憶領域を有効に使用することができる。
【０１１４】
次に、コントロールサービス１２５０が、図７のステップＳ２１２でプリントサービス実行部１４００から受信したファイル情報３１をステップＳ２１３でプリントサービス実行部１４００に通知する印刷情報３３に変換する方法について図１５で説明する。
【０１１５】
図１５において、コントロールサービス１２５０は、ファイル情報構造体に値が設定されている要素を取り出す（ステップＳ４１）。コントロールサービス１２５０は、取り出した要素が印刷情報構造体の要素に該当するか否かを判断する（ステップＳ４２）。該当しない場合、ステップＳ４４へ進む。該当する場合、印刷情報構造体の該当要素に値をセットする（ステップＳ４３）。
【０１１６】
更に、ファイル情報構造体の全要素を確認したか否かを判断する（ステップＳ４４）。全要素を確認していない場合、ステップＳ４１へ戻りファイル情報構造体から値が設定されている次の要素を取り出し、上記同様の処理を繰り返す。一方、全要素を確認した場合、ファイル情報３１から印刷情報３３への変換処理を終了する。
【０１１７】
そして、図７のステップＳ２１４でのプリントサービス実行部１４００によって行われる、印刷情報３３についてその設定が現在の機器で実現できない場合、これを省略すれば印刷できるものと、省略してはいけないものとの判断は、図１６に示されるような情報に基づいて行われる。
【０１１８】
図１６は、印刷情報の省略を判断するための情報を示す図である。図１６（Ａ）は、省略可能な印刷情報を示すテーブルである。図１６（Ｂ）は、省略不可能な印刷情報を示すテーブルである。図１６（Ａ）において、省略可能な印刷情報３３として、ステープル、パンチ、合紙・表示・章区切り、ソート・スタック、スタンプ印字、両面等がある。また、図１６（Ｂ）に示されるように、省略不可能な印刷情報３３として、用紙サイズ、部数等がある。
【０１１９】
プリントサービス実行部１４００は、これら省略可能な印刷情報３３と省略不可能な印刷情報３３とを夫々テーブルとして保持しても良く、また、処理の中の判断処理部として組み込まれていても良い。
【０１２０】
図１６（Ａ）及び図１６（Ｂ）に示す省略可能な印刷情報３３と省略不可能な印刷情報３３とに基づいて、利用者が省略を許すに設定し、作成した印刷情報構造体にて印刷できない場合の印刷情報３３の省略処理について図１７で説明する。図１７は、印刷情報の省略処理を説明するフローチャート図である。
【０１２１】
図１７において、プリントサービス実行部１４００は、印刷情報構造体に値が設定されている要素を取り出す（ステップＳ５１）。プリントサービス実行部１４００は、印刷情報３３の省略対象に該当するか否かを判断する（ステップＳ５２）。印刷情報３３の省略対象に該当しない場合、ステップＳ５７へ進む。一方、印刷情報３３の省略対象に該当する場合、処理に必要な機器情報をコントロールサービス１２５０から取得する（ステップＳ５３）。
【０１２２】
プリントサービス実行部１４００は、該当処理が現在の機器設定にて実行可能であるか否かを判断する（ステップＳ５４）。実行可能な場合、ステップＳ５７へ進む。一方、実行可能でない場合、印刷情報構造体の該当要素の値をクリアする（ステップＳ５５）。そして、省略した印刷情報３３を保存する（ステップＳ５６）。
【０１２３】
プリントサービス実行部１４００は、印刷情報構造体の全要素を確認したか否かを判断する（ステップＳ５７）。印刷情報構造体の全要素を確認していない場合、ステップＳ５１へ戻り上記同様の処理を繰り返す。一方、印刷情報構造体の全要素を確認した場合、省略処理を終了する。
【０１２４】
プリントサービス実行部１４００が、図７のステップＳ２１７でクライアントＰＣ１０から受信した印刷指示書３２のプロパティをステップＳ２１８でコントロールサービス１２５０に通知する印刷情報３３に変換する方法について図１８で説明する。図１８は、プリントサービス実行部による印刷指示書のプロパティから印刷情報への変換処理を説明するためのフローチャート図である。
【０１２５】
図１８において、プリントサービス実行部１４００は、印刷情報３３のプロパティからプロパティ名を取り出す（ステップＳ６１）。印刷情報構造体の要素に該当するか否かを判断する（ステップＳ６２）。印刷情報構造体の要素に該当しない場合ステップＳ６３へ進む。印刷情報構造体の要素に該当する場合、プロパティ値を取り出して（ステップＳ６３）、印刷情報構造体の該当要素に値をセットする（ステップＳ６４）。
【０１２６】
プリントサービス実行部１４００は、印刷指示書３２の全てのプロパティを確認したか否かを判断する（ステップＳ６５）．全てのプロパティを確認していない場合、ステップＳ６１へ戻り、上記同様の処理を行う。一方、全てのプロパティを確認した場合、プリントサービス実行部１４００による印刷指示書３２のプロパティから印刷情報３３への変換処理を終了する。
【０１２７】
クライアントＰＣ１０にて変更された印刷指示書３２のプロパティを印刷せずにリポジトリサービス実行部１４１０に保存する場合の処理概要を図１９で説明する。変更された印刷指示書３２のプロパティをリポジトリサービス実行部１４１０に保存する処理は、プロパティに保存指定がなされた場合に行なわれる。
【０１２８】
図１９は、変更された印刷指示書のプロパティをリポジトリサービス実行部に保存する処理の概要を説明するための図である。
【０１２９】
図１９において、クライアントＰＣ１０は、リポジトリ装置２０のリポジトリサービス実行部１４１０から所望する画像データ３０を利用するためのチケットを取得して（ステップＳ７１）、そのチケットを融合機１２００のプリントサービス実行部１４００へ渡して印刷指示書３２の作成を要求する（ステップＳ７２）。プリントサービス実行部１４００は、クライアントＰＣ１０から受け取ったチケットによって、リポジトリサービス実行部１４１０に対して、文書ＩＤとファイル情報３１を要求する（ステップＳ７３）。
【０１３０】
リポジトリ装置２０において、リポジトリサービス実行部１４１０は、ステップＳ３で受け取ったチケットがステップＳ１で発行したものであることを確認後、文書ＩＤとファイル情報３１とを融合機１２００のプリントサービス実行部１４００へ提供する（ステップＳ７４）。ファイル情報３１には、蓄積した時点での印刷条件が設定されている。プリントサービス実行部１４００は、コントロールサービス１２５０を使って、このファイル情報３１を変換して印刷情報３３を作成し、文書ＩＤと印刷情報３３とが設定される印刷指示書３２を作成する。
【０１３１】
クライアントＰＣ１０は、印刷指示書３２の内容を示すプロパティを融合機１２００のプリントサービス実行部１４００から取得する（ステップＳ７５）。クライアントＰＣ１０は、利用者が変更したプロパティ値に変更するようにプリントサービス実行部１４００に指示する（ステップＳ７６）。この時、プロパティが保存指定となる。
【０１３２】
プロパティが保存指定のプロパティ値の変更要求を受信すると、プリントサービス実行部１４００は、リポジトリサービス実行部１４１０に変更されたプロパティ値を保存する（ステップＳ７７）。
【０１３３】
このように、変更されたプロパティ値でリポジトリサービス実行部１４１０で管理されるファイル情報３１を上書き保存することができる。
【０１３４】
クライアントＰＣ１０側で変更されたプロパティを保存指定とする場合の処理について図２０で説明する。図２０は、クライアントＰＣ側でのプロパティを保存指定とする場合の処理を説明するフローチャート図である。図２０において、クライアントＰＣ１０は、コマンドstartSessionを送信して、融合機１２００のプリントサービス実行部１４００とのセッションを確立する（ステップＳ８１）。
【０１３５】
セッション確立後、クライアントＰＣ１０は、コマンドcreateJobInstructionを送信して、リポジトリ装置２０のリポジトリサービス実行部１４１０から取得しておいたチケットをプリントサービス実行部１４００に渡して印刷指示書３２の作成を要求し（ステップＳ８２）、コマンドgetJobInstructionを送信して、印刷指示書３２の内容を示すプロパティをリポジトリサービス実行部１４１０から取得する（ステップＳ８３）。
【０１３６】
利用者の設定変更に応じて、プロパティ保存が指定されたコマンドsetJobInstructionを送信して、印刷指示書３２のプロパティの変更及び保存をリポジトリサービス実行部１４１０へ指示し（ステップＳ８４）、コマンドendSessionを送信して、プリントサービス実行部１４００とのセッションを終了する。
【０１３７】
図２１は、変更された印刷指示書のプロパティをリポジトリサービス実行部に保存する処理におけるコマンドフローを示す図である。図２１において、クライアントＰＣ１０が融合機１２００のプリントサービス実行部１４００に対してコマンドgetJobInstruction(セッションＩＤ、印刷指示書ＩＤ)を送信すると（ステップＳ３０１）、プリントサービス実行部１４００は、印刷指示書３２のプロパティによって応答する（ステップＳ３０２）。
【０１３８】
クライアントＰＣ１０は、プロパティ保存が有りに設定されたコマンドsetJobInstruction(セッションＩＤ、印刷指示書ＩＤ、印刷指示書３２のプロパティ)をプリントサービス実行部１４００に送信する（ステップＳ３０３）。印刷指示書３２が文書ＩＤを含まない場合、setJobInstructionにて文書ＩＤを指定するようにする。
【０１３９】
プリントサービス実行部１４００は、プロパティ保存が有りに設定されたコマンドsetJobInstructionを受信すると、コントロールサービス１２５０に対してコマンドcheckPrintMode(文書ＩＤ、印刷情報３３)を送信する（ステップＳ３０４）。コントロールサービス１２５０は、コマンドcheckPrintModeに指定された印刷情報３３に従って印刷処理が行えるか否かを判断し、その判断結果「ＯＫ（処理可）」又は「ＮＯＴ（処理不可）」を応答としてプリントサービス実行部１４００へ送信する（ステップＳ３０５）。
【０１４０】
プリントサービス実行部１４００は、その判断結果が「ＯＫ（処理可）」を示す場合に、コントロールサービス１２５０に対してコマンドgetFileInfo(文書ＩＤ、印刷情報３３)を送信する（ステップＳ３０６）。コントロールサービス１２５０は、受信したコマンドgetFileInfoから印刷情報３３を取り出してファイル情報３１に変換し、そのファイル情報３１によってプリントサービス実行部１４００に応答する（ステップＳ３０７）。
【０１４１】
プリントサービス実行部１４００は、コントロールサービス１２５０から印刷情報３３から変換されたファイル情報３１を受信すると、リポジトリサービス実行部１４１０に対してコマンドsetDocInfo(文書ＩＤ、ファイル情報３１)を送信する（ステップＳ３０８）。リポジトリサービス実行部１４１０は、文書ＩＤに対応させてファイル情報３１を保存して、その保存処理結果「ＯＫ（保存完了）」又は「ＮＯＴ（保存エラー）」によってプリントサービス実行部１４００に応答する（ステップＳ３０９）。
【０１４２】
プリントサービス実行部１４００は、リポジトリサービス実行部１４１０から通知された保存処理結果「ＯＫ（保存完了）」又は「ＮＯＴ（保存エラー）」をステップＳ３０３に対する応答としてクライアントＰＣ１０に通知する（ステップＳ３１０）。
【０１４３】
コントロールサービス１２５０が、図２１のステップＳ３０６においてプリントサービス実行部１４００から受信した印刷情報３３をファイル情報３１に変換してプリントサービス実行部１４００に提供する場合の印刷情報３３からファイル情報３１に変換する変換処理を図２２で説明する。
【０１４４】
図２２は、コントロールサービスによる印刷情報をファイル情報への変換処理を説明するためのフローチャート図である。図２２において、コントロールサービス１２５０は、印刷情報構造体に値が設定されている要素を取り出して（ステップＳ９１）、ファイル情報構造体の要素に該当するか否かを判断する（ステップＳ９２）。
【０１４５】
ファイル情報構造体の要素に該当しない場合、コントロールサービス１２５０は、ステップＳ９４へ進む。一方、ファイル情報構造体の要素に該当する場合、コントロールサービス１２５０は、ファイル情報構造体の該当要素に値をセットする（ステップＳ９３）。
【０１４６】
そして、コントロールサービス１２５０は、印刷情報構造体の全要素を確認したか否かを判断する（ステップＳ９４）。印刷情報構造体の全要素を確認していない場合、コントロールサービス１２５０は、ステップＳ９１へ戻り、上記同様の処理を繰り返す。一方、印刷情報構造体の全要素を確認した場合、コントロールサービス１２５０は、印刷情報３３をファイル情報３１への変換処理を終了する。
【０１４７】
次に、クライアントＰＣ１０にプリントサービス実行部１４００又はリポジトリサービス実行部１４１０から提供される画面例を図２３から図２５で説明する。図２３は、リポジトリサービス実行部から提供される蓄積文書の一覧画面を示す図である。図２３において、蓄積文書の一覧画面３００は、文書名の一覧を表示する表示域３１０と、サムネイルで文書を表示する表示域３２０とを有する。
【０１４８】
表示域３１０には、利用者が例えばマウス等で「全ての文書」３１１を選択するとリポジトリサービス実行部１４１０に蓄積されている文書名の一覧が表示される。表示域３１０にて、先ず、複数のフォルダ名が表示され、所望するフォルダを選択すると文書名の一覧が表示されるようにしても良い。
【０１４９】
表示域３２０には、表示域３１０での選択に応じて、蓄積される文書のサムネイルと文書名が表示される。利用者は、所望するサムネイルを選択し、更に、マウスの右クリックで表示されるメニュー３３０から印刷を選択すると、印刷処理が開始される。利用者は、サムネイルを複数選択することで複数の文書に対して一度に印刷処理を行わせることができる。
【０１５０】
図７のステップＳ２１５にてクライアントＰＣ１０がプリントサービス実行部１４００に対してコマンドgetJobInstructionを送信することによって提供される蓄積文書の印刷画面について図２４で説明する。図２４は、プリントサービス実行部から提供される蓄積文書の印刷画面を示す図である。図２４において、蓄積文書の印刷画面４００は、プリントサービス実行部１４００から提供された時点での画面の状態である。つまり、前回印刷処理した際に設定した状態が蓄積文書の印刷画面４００に示される。
【０１５１】
蓄積文書の印刷画面４００は、印刷するために利用者によって選択された文書名の一覧を表示する表示域４０１と、印刷部数を入力する入力域４０２と、プロパティを保持するためのチェック域４０３と、融合機１２００側での印刷情報３３の省略を許可するためのチェック域４０４と、印刷オプションを設定するための設定領域４０５と、設定領域４０５で設定したオプションを一覧表示する表示域４０６と、印刷を開始するためのボタン４０７と、印刷をキャンセルするためのボタン４０８とを有する。
【０１５２】
利用者は、表示域４０１に表示される文書名の一覧を参照して印刷する文書の確認を行うことができる。入力域４０２には、前回の印刷部数「１」が設定されているが、利用者によって変更可能である。
【０１５３】
チェック域４０３にチェックすると、変更したプロパティ（設定内容）が融合機１２００のプリントサービス実行部１４００からリポジトリ装置２０のリポジトリサービス実行部１４１０へ保存される。チェック域４０４にチェックすると、融合機１２００による印刷情報３３の自動省略を許可することになる。この例は、チェック域４０２及び４０４がチェックされなかったことを示している。
【０１５４】
設定域４０５には、例えば、「両面開き」か「片面開き」かいずれかを選択、「ソート」か「スタック」かいずれかを選択、「表紙」か「合紙」かいずれかを選択、「ステープル」か「パンチ」かいずれかを選択等の選択が行える。この設定域４０５で設定した項目は印刷設定一覧として表示域４０６に表示される。前回は、「両面開き」と「ソート」が設定されたことを示している。
【０１５５】
図７のステップＳ２１７にてクライアントＰＣ１０がコマンドsetJobInstructionを送信することによって、プロパティ値の変更を要求する際の蓄積文書の印刷画面について図２５で説明する。図２５は、プロパティ値の変更を要求する際の蓄積文書の印刷画面を示す図である。図２５において、蓄積文書の印刷画面５００は、図２４に示される蓄積文書の印刷画面４００が変更された例である。図２５中の符号５０１から５０８は、図２４中の符号４０１から４０８に相当するためその説明を省略する。
【０１５６】
表示域５０１に表示される文書名は、図２４の表示域４０１と同じである。入力域５０２は、利用者によって印刷部数が「１」から「２」に変更され、図２４のチェック域４０３及び４０４に対応するチェック域５０３及び５０４が共にチェックされている。チェック域５０３のチェックによって、今回の変更されたプロパティがリポジトリ装置２０のリポジトリサービス実行部１４１０に保存されることになり、チェック域５０４のチェックによって、融合機１２００のプリントサービス実行部１４００によって自動省略が許可されたことを示している。
【０１５７】
また、設定域５０４は、利用者によって、「両面開き」、「スタック」、「ステープル」の設定に変更されている。これらの変更によって、表示域５０６に表示される印刷設定一覧も変更される。今回の変更により、「部数：１」、「設定保持指定」、「両面開き」、「スタック」、「ステープル」が表示される。
【０１５８】
以上、リポジトリサービス実行部１４１０が融合機１２００とは別のリポジトリ装置２０に備えられる例にて説明してきたが、本願発明は、図２６に示すように、融合機１２００にプリントサービス実行部１４００とリポジトリサービス実行部１４１０とを備えるようにしても良い。図２６は、印刷指示書を指定するのみで印刷可能な第二のネットワーク構成を示すブロック図である。
【０１５９】
図２６に示す第二のネットワーク構成において、図３に示す第一のネットワーク構成と異なり、融合機１２００は、融合機１２００内にプリントサービス実行部１４００と、リポジトリサービス実行部１４１０と、コントロールサービス１２５０と、エンジン部１３５０とを有する。そのため、ネットワーク１５を介して行われたプリントサービス実行部１４００とリポジトリサービス実行部１４１０との通信は、内部的なコマンドの発行によって行われる。
【０１６０】
このような構成とすることで、クライアントＰＣ１０は、融合機１２００との間でチケットの取得及び印刷指示書３２の取得を行えばよい。
【０１６１】
本発明によると、クライアントＰＣ１０は、画像データ３０の使用を許可するチケットを融合機１２００へ送信し、印刷指示書３２を指定するのみで印刷処理を実行させることができる。つまり、印刷指示書３２の再利用を実現することができる。また、クライアントＰＣ１０は、融合機１２００から取得したプロパティを変更して、印刷処理を実行させることができる。更に、その変更したプロパティに基づくファイル情報３１を保存することができる。
【０１６２】
以下に、図２６に示す第二のネットワーク構成にて、チケットを使わない場合について説明する。図３に示す第一のネットワーク構成にても同様に実現される。
【０１６３】
図２７は、チケットを使わない場合の第四の印刷処理の概要を説明するための図である。図２７において、クライアントＰＣ１０は、リポジトリサービス実行部１４１０に対して、所望する画像データ３０を利用するための文書パスワードを送信し、リポジトリサービス実行部１４１０がその文書パスワードをチェックする（ステップＳ１０１）。文書パスワードによって画像データ３０（文書）へのアクセスの正当性が確認された場合、画像データ３０を識別する文書ＩＤを融合機１２００のプリントサービス実行部１４００へ渡して印刷指示書３２の作成を要求する（ステップＳ１０２）。
【０１６４】
プリントサービス実行部１４００は、クライアントＰＣ１０から受け取った文書ＩＤによって、リポジトリサービス実行部１４１０に対して、文書ＩＤとファイル情報３１を要求する（ステップＳ１０３）。
【０１６５】
リポジトリサービス実行部１４１０は、ステップＳ１０３で受け取った文書ＩＤがステップＳ１０１で正当性が確認されたものであることを確認後、文書ＩＤとファイル情報３１とをプリントサービス実行部１４００へ提供する（ステップＳ１０４）。プリントサービス実行部１４００は、リポジトリサービス実行部１４１０から取得した文書ＩＤとファイル情報３１とをコントロールサービス１２５０へ通知することによって印刷指示書３２を作成する。
【０１６６】
ファイル情報３１には、蓄積した時点での印刷条件が設定されている。プリントサービス実行部１４００は、コントロールサービス１２５０を使って、このファイル情報３１を変換して印刷情報３３を作成し、文書ＩＤと印刷情報３３とが設定される印刷指示書３２を作成する。そして、プリントサービス実行部１４００は、作成した印刷指示書３２を識別する印刷指示書ＩＤをクライアントＰＣ１０に通知する。
【０１６７】
クライアントＰＣ１０は、プリントサービス実行部１４００から受信した印刷指示書ＩＤによって印刷指示書３２を指定して印刷指示をプリントサービス実行部１４００へ行う（ステップＳ１０５）。プリントサービス実行部１４００は、印刷指示書ＩＤによって印刷指示書３２を識別し、印刷指示書３２に設定されている文書ＩＤと印刷情報３３とをコントロールサービス１２５０へ通知する（ステップＳ１０６）。
【０１６８】
コントロールサービス１２５０は、プリントサービス実行部１４００から通知された文書ＩＤに基づいて、リポジトリサービス実行部１４１０から画像データ３０を取得し（ステップＳ１０７）、また、プリントサービス実行部１４００から通知された印刷情報３３に従って、画像データ３０に基づく印刷処理を実行する（ステップＳ１０８）。つまり、コントロールサービス１２５０は、エンジン部１３５０（プロッタ１２０１）を制御して所定媒体に画像形成させて、画像形成された媒体を出力させる。
【０１６９】
図２８は、チケットを使わない場合の第四の印刷処理を説明するためのフローチャート図である。図２８において、クライアントＰＣ１０は、ネットワーク１５を介してコマンドstartSessionを送信して、融合機１２００のプリントサービス実行部１４００とのセッションを確立する（ステップＳ１１１）。セッション確立後、クライアントＰＣ１０は、コマンドcheckPasswordを送信して、リポジトリサービス実行部１４１０がその文書パスワードをチェックする（ステップＳ１１２）。
【０１７０】
文書パスワードによって文書へのアクセスの正当性が確認された場合、クライアントＰＣ１０は、画像データ３０を識別する文書ＩＤを融合機１２００のプリントサービス実行部１４００へ渡して印刷指示書３２の作成を要求し（ステップＳ１１３）、更に、コマンドcreateJobを送信して、印刷実行を指示する（ステップＳ１１４）。
【０１７１】
そして、クライアントＰＣ１０は、コマンドendSessionを送信して、融合機１２００のプリントサービス実行部１４００とのセッションを終了する（ステップＳ１１５）。
【０１７２】
このように、文書に対する文書パスワードに基づいてアクセスの正当性が判断され、融合機１２００のプリントサービス実行部１４００に印刷指示をするのみである。従って、文書（画像データ）及び印刷指示書３２自体をネットワーク１５を介して転送することがなく、融合機１２００への伝送効率が良い。
【０１７３】
以下に、チケットを使わない場合のコマンドフローについて図２９から図３１にて説明する。先ず、ＷｅｂサービスとクライアントＰＣ１０との間のセッションをＷｅｂサービスを実行するＷｅｂサービスファンクション毎に管理する場合について説明する。本実施例では、プリントサービス実行部１４００とリポジトリサービス実行部１４１０毎にセッションが管理される。
【０１７４】
図２９は、チケットを使わない場合の第一のコマンドフローを示す図である。図２９において、クライアントＰＣ１０がリポジトリサービス実行部１４１０に対してコマンドstartSession()を送信すると（ステップＳ６０１）、リポジトリサービス実行部１４１０は、リポジトリセッションＩＤによって応答する（ステップＳ６０２）。クライアントＰＣ１０とリポジトリサービス実行部１４１０との間にセッションを確立する。
【０１７５】
セッションが確立すると、クライアントＰＣ１０は、文書に対するアクセスの正当性を確認するため、リポジトリサービス実行部１４１０に対してコマンドcheckPassword(リポジトリセッションＩＤ、文書ＩＤ、文書パスワード)を送信する（ステップＳ６０３）。リポジトリサービス実行部１４１０は、文書ＩＤ及び文書パスワードによって、文書ＩＤによって識別される文書に対するアクセスの正当性をチェックし、そのチェック結果によって応答する（ステップＳ６０４）。
【０１７６】
次に、クライアントＰＣ１０は、プリントサービス実行部１４００に対してコマンドstartSession()を送信し（ステップＳ６０５）、プリントサービス実行部１４００は、クライアントＰＣ１０に対してプリントセッションＩＤで応答する（ステップＳ６０６）。クライアントＰＣ１０とプリントサービス実行部１４００との間にセッションが確立する。
【０１７７】
セッションが確立すると、クライントＰＣ１０は、コマンドcreateJobInstruction(プリントセッションＩＤ、リポジトリセッションＩＤ、文書ＩＤ)を送信して、プリントサービス実行部１４００に対して印刷指示書３２の作成を要求する（ステップＳ６０７）。
【０１７８】
クライントＰＣ１０から印刷指示書３２の作成要求を受信すると、プリントサービス実行部１４００は、リポジトリサービス実行部１４１０に対してコマンドgetDocInfo(リポジトリセッションＩＤ、文書ＩＤ)を送信し（ステップＳ６０８）、リポジトリサービス実行部１４１０は、ファイル情報３１によって応答する（ステップＳ６０９）。
【０１７９】
そして、プリントサービス実行部１４００は、コントロールサービス１２５０に対してコマンドgetPrintMode(文書ＩＤ、ファイル情報３１)を送信して（ステップＳ６１０）、コントロールサービス１２５０は、印刷情報３３によって応答する（ステップＳ６１１）。印刷情報３３は、印刷機固有の情報を示している。
【０１８０】
プリントサービス実行部１４００は、コントロールサービス１２５０から取得した印刷情報３３に基づいて、印刷指示書３２を作成し、印刷指示書３２を識別する印刷指示書ＩＤをステップ６０７でのクライアントＰＣ１０からのコマンドcreateJobInstructionの応答としてクライアントＰＣ１０に送信する（ステップＳ６１２）。
【０１８１】
クライアントＰＣ１０は、印刷指示書ＩＤを受信すると、プリントサービス実行部１４００に対してコマンドgetJobInstruction(プリントセッションＩＤ、印刷指示書ＩＤ)を送信して、印刷指示書３２のプロパティを要求する（ステップＳ６１３）。プリントサービス実行部１４００は、印刷指示書ＩＤに対応する印刷指示書３２のプロパティによってクライアントＰＣ１０へ応答する（ステップＳ６１４）。
【０１８２】
クライアントＰＣ１０は、利用者の設定によって変更した印刷指示書３２のプロパティによってプリントサービス実行部１４００にて一時的に保存されている印刷指示書３２のプロパティを変更するため、プリントサービス実行部１４００に対してコマンドsetJobInstruction(プリントセッションＩＤ、印刷指示書ＩＤ、印刷指示書３２のプロパティ)を送信する（ステップＳ６１５）。印刷指示書３２が文書ＩＤを含まない場合、setJobInstructionにて文書ＩＤを指定するようにする。
【０１８３】
プリントサービス実行部１４００は、受信したコマンドsetJobInstructionで指定される印刷指示書３２のプロパティに基づいて、コントロールサービス１２５０へ通知するための印刷情報３３を作成する。そして、プリントサービス実行部１４００は、コントロールサービス１２５０に対してコマンドcheckPrintMode(文書ＩＤ、印刷情報３３)を送信し（ステップＳ６１６）、コントロールサービス１２５０は、コマンドcheckPrintModeに指定された印刷情報３３に従って印刷処理が行えるか否かを判断し、その判断結果「ＯＫ（処理可）」又は「ＮＯＴ（処理不可）」を応答としてプリントサービス実行部１４００へ送信する（ステップＳ６１７）。
【０１８４】
プリントサービス実行部１４００は、コントロールサービス１２５０から通知された判断結果「ＯＫ（処理可）」又は「ＮＯＴ（処理不可）」をステップＳ６１５でのコマンドsetJobInstructionに対する応答として送信する（ステップＳ６１８）。
【０１８５】
クライアントＰＣ１０は、コマンドsetJobInstructionに対する応答が「ＯＫ（処理可）」を示す場合に、融合機１２００にて印刷処理を行わせるために、プリントサービス実行部１４００に対してコマンドcreateJob(プリントセッションＩＤ、印刷指示書ＩＤ)を送信する（ステップＳ６１９）。プリントサービス実行部１４００は、コマンドcreateJobを受信すると、コントロールサービス１２５０に対してコマンドentryJob(文書ＩＤ、印刷情報３３)を送信して、印刷ジョブの実行を指示する（ステップＳ６２０）。
【０１８６】
コントロールサービス１２５０は、コマンドentryJobで指定される文書ＩＤを用いてリポジトリサービス実行部１４００から画像データ３０を取得して、印刷情報３３に従って、プロッタ１２０１に所定の媒体に画像を形成させて出力させる。コントロールサービス１２５０は、その処理結果「ＯＫ（処理完了）」又は「ＮＯＴ（処理エラー）」を応答としてプリントサービス実行部１４００へ送信する（ステップＳ６２１）。
【０１８７】
プリントサービス実行部１４００は、コントロールサービス１２５０から通知された処理結果「ＯＫ（処理完了）」又は「ＮＯＴ（処理エラー）」をステップＳ６１９でのコマンドcreateJobに対する応答として送信する（ステップＳ６２２）。
【０１８８】
クライアントＰＣ１０は、コマンドcreateJobに対する応答が「ＯＫ（処理完了）」を示す場合に、プリントサービス実行部１４００に対してコマンドendSession(プリントセッションＩＤ)を送信して、プリントサービス実行部１４００とのセッションを解放する（ステップＳ６２３）。
【０１８９】
次に、クライアントＰＣ１０が利用する一連のＷｅｂサービスで共通にセッションを管理する場合について図３０で説明する。図３０は、チケットを使わない場合の第二のコマンドフローを示す図である。
【０１９０】
図３０において、クライアントＰＣ１０がリポジトリサービス実行部１４１０に対してコマンドstartSession()を送信すると（ステップＳ６３１）、リポジトリサービス実行部１４１０は、グローバルセッションＩＤによって応答する（ステップＳ６３２）。クライアントＰＣ１０とリポジトリサービス実行部１４１０との間にセッションを確立する。
【０１９１】
セッションが確立すると、クライアントＰＣ１０は、文書に対するアクセスの正当性を確認するため、リポジトリサービス実行部１４１０に対してコマンドcheckPassword(グローバルセッションＩＤ、文書ＩＤ、文書パスワード)を送信する（ステップＳ６３３）。リポジトリサービス実行部１４１０は、文書ＩＤ及び文書パスワードによって、文書ＩＤによって識別される文書に対するアクセスの正当性をチェックし、そのチェック結果によって応答する（ステップＳ６３４）。
【０１９２】
ステップＳ６３１及びＳ６３２によって、クライアントＰＣ１０とリポジトリサービス実行部１４１０との間でセッションが確立すると、グローバルセッションＩＤによってセッションが管理されるため、クライアントＰＣ１０は、プリントサービス１４００との間のセッションを確立する必要がない。
【０１９３】
従って、クライントＰＣ１０は、プリントサービス実行部１４００とのセッションを確立するための処理を行うことなく、コマンドcreateJobInstruction(グローバルセッションＩＤ、リポジトリセッションＩＤ、文書ＩＤ)を送信して、プリントサービス実行部１４００に対して印刷指示書３２の作成を要求する（ステップＳ６３５）。
【０１９４】
クライントＰＣ１０から印刷指示書３２の作成要求を受信すると、プリントサービス実行部１４００は、リポジトリサービス実行部１４１０に対してコマンドgetDocInfo(グローバルセッションＩＤ、文書ＩＤ)を送信し（ステップＳ６３６）、リポジトリサービス実行部１４１０は、ファイル情報３１によって応答する（ステップＳ６３７）。
【０１９５】
そして、プリントサービス実行部１４００は、コントロールサービス１２５０に対してコマンドgetPrintMode(文書ＩＤ、ファイル情報３１)を送信して（ステップＳ６３８）、コントロールサービス１２５０は、印刷情報３３によって応答する（ステップＳ６３９）。印刷情報３３は、印刷機固有の情報を示している。
【０１９６】
プリントサービス実行部１４００は、コントロールサービス１２５０から取得した印刷情報３３に基づいて、印刷指示書３２を作成し、印刷指示書３２を識別する印刷指示書ＩＤをステップ６３５でのクライアントＰＣ１０からのコマンドcreateJobInstructionの応答としてクライアントＰＣ１０に送信する（ステップＳ６４０）。
【０１９７】
クライアントＰＣ１０は、印刷指示書ＩＤを受信すると、プリントサービス実行部１４００に対してコマンドgetJobInstruction(グローバルセッションＩＤ、印刷指示書ＩＤ)を送信して、印刷指示書３２のプロパティを要求する（ステップＳ６４１）。プリントサービス実行部１４００は、印刷指示書ＩＤに対応する印刷指示書３２のプロパティによってクライアントＰＣ１０へ応答する（ステップＳ６４２）。
【０１９８】
クライアントＰＣ１０は、利用者の設定によって変更した印刷指示書３２のプロパティによってプリントサービス実行部１４００にて保存される印刷指示書３２のプロパティを変更するため、プリントサービス実行部１４００に対してコマンドsetJobInstruction(グローバルセッションＩＤ、印刷指示書ＩＤ、印刷指示書３２のプロパティ)を送信する（ステップＳ６４３）。印刷指示書３２が文書ＩＤを含まない場合、setJobInstructionにて文書ＩＤを指定するようにする。
【０１９９】
プリントサービス実行部１４００は、受信したコマンドsetJobInstructionで指定される印刷指示書３２のプロパティに基づいて、コントロールサービス１２５０へ通知するための印刷情報３３を作成する。そして、プリントサービス実行部１４００は、コントロールサービス１２５０に対してコマンドcheckPrintMode(文書ＩＤ、印刷情報３３)を送信し（ステップＳ６４４）、コントロールサービス１２５０は、コマンドcheckPrintModeに指定された印刷情報３３に従って印刷処理が行えるか否かを判断し、その判断結果「ＯＫ（処理可）」又は「ＮＯＴ（処理不可）」を応答としてプリントサービス実行部１４００へ送信する（ステップＳ６４５）。
【０２００】
プリントサービス実行部１４００は、コントロールサービス１２５０から通知された判断結果「ＯＫ（処理可）」又は「ＮＯＴ（処理不可）」をステップＳ６４５でのコマンドsetJobInstructionに対する応答として送信する（ステップＳ６４６）。
【０２０１】
クライアントＰＣ１０は、コマンドsetJobInstructionに対する応答が「ＯＫ（処理可）」を示す場合に、融合機１２００にて印刷処理を行わせるために、プリントサービス実行部１４００に対してコマンドcreateJob(グローバルセッションＩＤ、印刷指示書ＩＤ)を送信する（ステップＳ６４７）。プリントサービス実行部１４００は、コマンドcreateJobを受信すると、コントロールサービス１２５０に対してコマンドentryJob(文書ＩＤ、印刷情報３３)を送信して、印刷ジョブの実行を指示する（ステップＳ６４８）。
【０２０２】
コントロールサービス１２５０は、コマンドentryJobで指定される文書ＩＤを用いてリポジトリサービス実行部１４００から画像データ３０を取得して、印刷情報３３に従って、プロッタ１２０１に所定の媒体に画像を形成させて出力させる。コントロールサービス１２５０は、その処理結果「ＯＫ（処理完了）」又は「ＮＯＴ（処理エラー）」を応答としてプリントサービス実行部１４００へ送信する（ステップＳ６４９）。
【０２０３】
プリントサービス実行部１４００は、コントロールサービス１２５０から通知された処理結果「ＯＫ（処理完了）」又は「ＮＯＴ（処理エラー）」をステップＳ６４９でのコマンドcreateJobに対する応答として送信する（ステップＳ６５０）。
【０２０４】
クライアントＰＣ１０は、コマンドcreateJobに対する応答が「ＯＫ（処理完了）」を示す場合に、プリントサービス実行部１４００に対してコマンドendSession(グローバルセッションＩＤ)を送信して、プリントサービス実行部１４００とのセッションを解放する（ステップＳ６５１）。
【０２０５】
次に、クライアントＰＣ１０がＷｅｂサービスへの利用毎に文書パスワードによってアクセスの正当性をチェックする場合について図３１で説明する。
【０２０６】
図３１は、チケットを使わない場合の第三のコマンドフローを示す図である。図３１中、図３０と同一のステップには、同一符号を付し、その説明を省略する。図３１に示される第三のコマンドフローでは、クライアントＰＣ１０がリポジトリサービス実行部１４１０との接続時及びプリントサービス実行部１４００への接続時に、文書パスワードによって文書へのアクセスの正当性を確認する点が、図３０に示される第二のコマンドフローと異なっている。従って、ここでは、ステップＳ６３３からＳ６３７までの処理について説明する。その他のステップについては、図３０での説明と同様である。
【０２０７】
クライアントＰＣ１０は、文書に対するアクセスの正当性を確認するため、リポジトリサービス実行部１４１０に対してコマンドcheckPassword(グローバルセッションＩＤ、文書ＩＤ、文書パスワード)を送信する（ステップＳ６３３）。リポジトリサービス実行部１４１０は、文書ＩＤ及び文書パスワードによって、文書ＩＤによって識別される文書に対するアクセスの正当性をチェックし、そのチェック結果によって応答する（ステップＳ６３４）。
【０２０８】
次に、クライアントＰＣ１０は、プリントサービス実行部１４００への接続をコマンドcreateJobInstruction(グローバルセッションＩＤ、文書ＩＤ、文書パスワード)によって行う（ステップＳ６３５−２）。プリントサービス実行部１４００への接続は、文書パスワードを指定した印刷指示書３２の作成を要求することによって行う。
【０２０９】
プリントサービス実行部１４００は、リポジトリサービス実行部１４１０へコマンドcheckPassword(グローバルセッションＩＤ、文書ＩＤ、文書パスワード)を送信して、文書へのアクセスの正当性を確認する（ステップＳ６３５−４）。リポジトリサービス実行部１４１０は、文書ＩＤ及び文書パスワードによって、文書ＩＤによって識別される文書に対するアクセスの正当性をチェックし、そのチェック結果によって応答する（ステップＳ６３５−６）。
【０２１０】
続けて、プリントサービス実行部１４００は、リポジトリサービス実行部１４１０に対してコマンドgetDocInfo(グローバルセッションＩＤ、文書ＩＤ)を送信し（ステップＳ６３６）、リポジトリサービス実行部１４１０は、ファイル情報３１によって応答する（ステップＳ６３７）。以下の処理は、図３０に示す第二のコマンドフローの説明と同一である。
【０２１１】
このように、本発明によると、文書パスワードによって文書（画像データ３０）へのアクセスの許可を判断することができ、また、クライアントＰＣ１０は、融合機１２００から取得したプロパティを変更して、印刷指示書３２を再利用しつつ印刷処理を実行させることができる。更に、その変更したプロパティに基づくファイル情報を保存することができる。
【０２１２】
本実施例におけるクライアントＰＣ１０は、例えば、図３２に示すようなハードウェア構成を有する。図３２は、クライアントＰＣのハードウェア構成を示すブロック図である。
【０２１３】
図３２において、クライアントＰＣ１０は、コンピュータによって制御される端末であって、ＣＰＵ（Central Processing Unit）５１と、メモリユニット５２と、表示ユニット５３と、出力ユニット５４と、入力ユニット５５と、通信ユニット５６と、記憶装置５７と、ドライバ５８とで構成され、システムバスＢに接続される。
【０２１４】
ＣＰＵ５１は、メモリユニット５２に格納されたプログラムに従ってクライアントＰＣ１０を制御する。メモリユニット５２は、ＲＡＭ（Random Access Memory）及びＲＯＭ（Read-Only Memory）等にて構成され、ＣＰＵ５１にて実行されるプログラム、ＣＰＵ５１での処理に必要なデータ、ＣＰＵ５１での処理にて得られたデータ等を格納する。また、メモリユニット５２の一部の領域が、ＣＰＵ５１での処理に利用されるワークエリアとして割り付けられている。
【０２１５】
表示ユニット５３は、ＣＰＵ５１の制御のもとに必要な各種情報を表示する。出力ユニット５４は、プリンタ等を有し、利用者からの指示に応じて各種情報を出力するために用いられる。入力ユニット５５は、マウス、キーボード等を有し、利用者がクライアントＰＣ１０が処理を行なうための必要な各種情報を入力するために用いられる。通信ユニット５６は、クライアントＰＣ１０が例えばインターネット、ＬＡＮ（Local Area Network）等を介して融合機１２００と接続する場合に、融合機１２００との間の通信制御をするための装置である。記憶装置５７は、例えば、ハードディスクユニットにて構成され、各種処理を実行するプログラム等のデータを格納する。
【０２１６】
クライアントＰＣ１０よって行われる処理を実現するプログラムは、例えば、ＣＤ−ＲＯＭ（Compact Disc Read-Only Memory）等の記憶媒体５９によってクライアントＰＣ１０に提供される。即ち、プログラムが保存された記憶媒体５９がドライバ５８にセットされると、ドライバ５８が記憶媒体５９からプログラムを読み出し、その読み出されたプログラムがシステムバスＢを介して記憶装置５７にインストールされる。そして、プログラムが起動されると、記憶装置５７にインストールされたプログラムに従ってＣＰＵ５１がその処理を開始する。尚、プログラムを格納する媒体としてＣＤ−ＲＯＭに限定するものではなく、コンピュータが読み取り可能な媒体であればよい。本発明に係る処理を実現するプログラムは、通信ユニット５６によってネットワークを介してダウンロードし、記憶装置５７にインストールするようにしても良い。
【０２１７】
本発明は、具体的に開示された実施例に限定されるものではなく、特許請求の範囲から逸脱することなく、種々の変形や変更が可能である。
【図面の簡単な説明】
【０２１８】
【図１】本発明の一実施例に係る多種の画像形成機能を融合する融合機の機能構成を示すブロック図である。
【図２】図１に示す融合機のハードウェア構成を示すブロック図である。
【図３】印刷指示書を指定するのみで印刷可能な第一のネットワーク構成を示すブロック図である。
【図４】印刷オプションを変更しない場合の第一の印刷処理を説明するためのフローチャート図である。
【図５】印刷オプションを変更する場合の第二の印刷処理の概要を説明するための図である。
【図６】印刷オプションを変更する場合の第二の印刷処理を説明するためのフローチャート図である。
【図７】印刷オプションを変更する場合の第二の印刷処理におけるコマンドフローを示す図である。
【図８】リポジトリサービス実行部から提供されるファイル情報の構造体を示す図である。
【図９】コントロールサービスから提供される印刷情報の構造体を示す図である。
【図１０】印刷指示書の記述例を示す図である。
【図１１】印刷オプションを変更する場合の第三の印刷処理の概要を説明するための図である。
【図１２】印刷オプションを変更する場合の第三の印刷処理を説明するためのフローチャート図である。
【図１３】印刷オプションを変更する場合の第三の印刷処理におけるコマンドフローを示す図である。
【図１４】第三の印刷処理において、プリントサービス実行部から提供される印刷指示書のプロパティの記述例を示す図である。
【図１５】コントロールサービスによるファイル情報から印刷情報への変換処理を説明するためのフローチャート図である。
【図１６】印刷情報の省略を判断するための情報を示す図である。
【図１７】印刷情報の省略処理を説明するフローチャート図である。
【図１８】プリントサービス実行部による印刷指示書のプロパティから印刷情報への変換処理を説明するためのフローチャート図である。
【図１９】変更された印刷指示書のプロパティをリポジトリサービス実行部に保存する処理の概要を説明するための図である。
【図２０】クライアントＰＣ側でのプロパティを保存指定とする場合の処理を説明するフローチャート図である。
【図２１】変更された印刷指示書のプロパティをリポジトリサービス実行部に保存する処理におけるコマンドフローを示す図である。
【図２２】コントロールサービスによる印刷情報をファイル情報への変換処理を説明するためのフローチャート図である。
【図２３】リポジトリサービス実行部から提供される蓄積文書の一覧画面を示す図である。
【図２４】プリントサービス実行部から提供される蓄積文書の印刷画面を示す図である。
【図２５】プロパティ値の変更を要求する際の蓄積文書の印刷画面を示す図である。
【図２６】印刷指示書を指定するのみで印刷可能な第二のネットワーク構成を示すブロック図である。
【図２７】チケットを使わない場合の第四の印刷処理の概要を説明するための図である。
【図２８】チケットを使わない場合の第四の印刷処理を説明するためのフローチャート図である。
【図２９】チケットを使わない場合の第一のコマンドフローを示す図である。
【図３０】チケットを使わない場合の第二のコマンドフローを示す図である。
【図３１】チケットを使わない場合の第三のコマンドフローを示す図である。
【図３２】クライアントＰＣのハードウェア構成を示すブロック図である。
【符号の説明】
【０２１９】
２          ｈｔｔｐｄ（Hypertext Transfer Protocol Daemon）
２３        Ｗｅｂブラウザ
３０        ディストリビューター
４０〜４９  Ｗｅｂサービス提供処理部
５０        ＸＭＬ処理部、        ６０        ディスパッチャー
７０        ＳＯＡＰ処理部
５００      Ｗｅｂサーバー
５０１      ＨＴＴＰリクエスト処理部
５０２      ＨＴＭＬ作成部、    ５０３      ＸＳＬプロセッサ
１２００    融合機
１３００    コントローラ、        １３０１    ＡＳＩＣ
１３０２    ＭＥＭ−Ｃ、          １３０３    ＨＤＤ
１３０４    ＣＰＵ、              １３０５    ＮＢ
１３０６    ＭＥＭ−Ｐ、          １３０７    ＳＢ
１３０８    ＡＧＰ、              １３１０    オペレーションパネル
１３１１    ＮＩＣ、              １３１２    ＵＳＢターゲット
１３１３    ＩＥＥＥ１３９４      １３１４    セントロニクス
１３１５    シリアル              １３１６    ＵＳＢホスト
１３２０    ＦＡＸコントロールユニット
１３２１    不揮発性メモリ        １３２２、１３２３    ＲＴＣ
１３５０    エンジン部
【図１】
2004303224.tif 000003
【図２】
2004303224.tif 000004
【図３】
2004303224.tif 000005
【図４】
2004303224.tif 000006
【図５】
2004303224.tif 000007
【図６】
2004303224.tif 000008
【図７】
2004303224.tif 000009
【図８】
2004303224.tif 000010
【図９】
2004303224.tif 000011
【図１０】
2004303224.tif 000012
【図１１】
2004303224.tif 000013
【図１２】
2004303224.tif 000014
【図１３】
2004303224.tif 000015
【図１４】
2004303224.tif 000016
【図１５】
2004303224.tif 000017
【図１６】
2004303224.tif 000018
【図１７】
2004303224.tif 000019
【図１８】
2004303224.tif 000020
【図１９】
2004303224.tif 000021
【図２０】
2004303224.tif 000022
【図２１】
2004303224.tif 000023
【図２２】
2004303224.tif 000024
【図２３】
2004303224.tif 000025
【図２４】
2004303224.tif 000026
【図２５】
2004303224.tif 000027
【図２６】
2004303224.tif 000028
【図２７】
2004303224.tif 000029
【図２８】
2004303224.tif 000030
【図２９】
2004303224.tif 000031
【図３０】
2004303224.tif 000032
【図３１】
2004303224.tif 000033
【図３２】
2004303224.tif 000034